【事件の表示】
　特願２００７−１９９７８５「電子部品装着装置」拒絶査定不服審判事件〔平成２１年２月１９日出願公開、特開２００９−３８１４７〕について、次のとおり審決する。
【結　論】
　本件審判の請求は、成り立たない。
【理　由】
第１　手続の経緯
　本願は、平成１９年７月３１日の出願であって、平成２３年１１月１０日付けで拒絶査定がされ、これに対し、平成２４年２月１６日に拒絶査定不服審判の請求がなされるとともに、同時に明細書及び特許請求の範囲を補正する手続補正がなされたものである。
　
第２　平成２４年２月１６日付けの手続補正についての補正却下の決定
［補正却下の決定の結論］
　平成２４年２月１６日付けの手続補正を却下する。
　
［理由］
１　補正後の本願発明
　平成２４年２月１６日付けの手続補正（以下、「本件補正」という。）により、特許請求の範囲の請求項２は、次のように補正された。なお、補正前の請求項１は本件補正により削除された。
「複数の吸着ノズルが並設された装着ヘッドを備えて、部品供給装置から前記吸着ノズルにより取出した電子部品をプリント基板上に装着する電子部品装着装置において、中央部に前記電子部品の吸着用の真空通路が形成
され昇降する
且つ、前記各バネの下端を前記ノズル軸の下部に支持し、
と
　上記補正は、願書に最初に添付した明細書の段落【００１７】に「前記ノズル軸体２２を囲むように且つ前記ノズル軸体２２に形成された第１段差部２５と前記案内筒体２４に形成された段差部２６との間に張架されて前記ノズル軸体２２及び吸着ノズル１５を下降するように付勢するコイル状のバネ２７」と記載され、また、図４において、各バネ２７の下端をノズル軸体２２の下部の第１段差部２５で支持している態様が図示されていることに基づいてなされたものであるから、上記補正は、願書に最初に添付した明細書、特許請求の範囲又は図面に記載した事項の範囲内においてしたものであり、特許法第１７条の２第３項に規定された新規事項追加禁止に違反するものではない。
　また、上記補正は、補正前の請求項２に記載された発明を特定するために必要な事項である「ノズル軸」について、「昇降する」との限定を付加するとともに、同じく「バネ」について、「前記各バネの下端を前記ノズル軸の下部に支持し」との限定を付加したものであり、かつ、補正後の請求項１に記載された発明は、補正前の請求項２に記載された発明と、産業上の利用分野及び解決しようとする課題が同一であるので、上記補正は、特許法第１７条の２第５項第２号に規定された特許請求の範囲の減縮を目的とするものに該当する。
　そこで、本件補正後の請求項１に記載された発明（以下、「本願補正発明」という。）が特許出願の際独立して特許を受けることができるものであるか（平成２３年法律第６３号改正附則第２条第１８項によりなお従前の例によるとされる同法による改正前の特許法第１７条の２第６項において準用する同法第１２６条第５項の規定に適合するか）について以下に検討する。
　
２　引用例
（１）引用例１
　原査定の拒絶の理由に引用された、本願の出願前に頒布された刊行物である特開２００７−３６１６３号公報（以下、「引用例１」という。）には、「電子部品装着装置」に関して、図面とともに次の事項が記載されている。
　ア　「【０００１】
　本発明は、部品吸着位置に電子部品を供給する複数の部品供給ユニットと、この部品供給ユニットから電子部品を吸着してプリント基板上に装着する複数の吸着ノズルを有した装着ヘッドとを備えた電子部品装着装置、特に部品吸着位置に電子部品を供給する複数の部品供給ユニットと、駆動源により一方向に移動可能なビームにこれに沿った方向に駆動源により移動可能な装着ヘッドと、この装着ヘッドに前記部品供給ユニットから電子部品を吸着してプリント基板上に装着する複数の吸着ノズルとを備えた電子部品装着装置に関する。」
　イ　「【０００４】
　そこで本発明は、吸着ノズルに吸着保持された電子部品の吸着状態を装着前に検出装置で検出し、吸着状態が不良の場合には他の吸着ノズルに保持された良好な電子部品の装着のための吸着ノズルの移動途中で落下させないようにすることを目的とする。
【課題を解決するための手段】
【０００５】
　このため第１の発明は、部品吸着位置に電子部品を供給する複数の部品供給ユニットと、この部品供給ユニットから電子部品を吸着してプリント基板上に装着する複数の吸着ノズルを有した装着ヘッドとを備えた電子部品装着装置において、前記吸着ノズルに吸着保持された電子部品の吸着状態を装着前に検出する検出装置と、この検出装置により前記吸着ノズルに吸着保持された電子部品の吸着状態が不良とされた場合には他の吸着ノズルに吸着保持された電子部品の吸着状態が良好な前記電子部品の装着動作に伴う水平移動のための駆動源を減速するように制御する制御装置とを設けたことを特徴とする。」
　ウ　「【００１２】
　各装着ヘッド体７は下部に設けられ１２本の各バネ１２により下方へ付勢されている吸着ノズル１５を有する装着ヘッド１６を備えている。そして、各装着ヘッド体７の各装着ヘッド１６には、基板認識カメラ１９が設けられ、位置決め部５に位置するプリント基板Ｐに付された位置決めマーク（図示せず）を撮像する。」
　エ　「【００１５】
　また、３０はスリップリングであり、スリップリング３０は装着装置本体と装着ヘッド１６との間の通信及び後述するノズル支持部の回転モータへの電力供給のために設けられている。また、３１は装着ヘッド１６下部に設けられそれぞれ所定間隔を存して円周上に１２本配設された各吸着ノズル１５を上下動可能に支持するノズル支持体、３２は同じく装着ヘッド１６下部の外筒体、３３は外筒体３２とノズル支持体３１との間に設けられた吸着ノズル１５のθ回転用の例えばパルスモータであるノズル回転モータである。このノズル回転モータ３３のロータ３４はノズル支持体３１の外周面に設けられ、外筒体３２に設けられたステータ３５の内側でノズル支持体３１と共にθ方向に回転可能に設けられる。」
　オ　「【００１７】
　例えば、装着ヘッド１６に設けられ部品の吸着を行うと選択された吸着ノズル１５による電子部品Ｄの吸着動作が終了し、ノズル支持体３１が回転する度に、電子部品Ｄの下端面の高さ位置を各ＣＣＤ素子の受光状態より遮光から受光に変わる境界位置として検出することにより部品が図５に示すように正常に吸着されている場合と、吸着すべきでない面が吸着され所謂立ち状態となっている場合や斜めに吸着されている場合とが区別して検出される。即ち、吸着ノズル１５が下降して部品供給ユニット３から電子部品Ｄを吸着取出し、上昇した後にノズル回転モータ３３の駆動によりノズル支持体３１を回転させ、電子部品Ｄを吸着保持している吸着ノズル１５を旋回させ、その旋回中に吸着ノズル１５が吸着している電子部品Ｄが前記反射体４４と受光ユニット４６との間に位置するので、複数位置で電子部品Ｄの下端面の高さ位置を検出することにより、部品の有無検出及び吸着姿勢の検出等が可能となる。尚、ノズル支持体３１が回転しながら移動するときに検出する構成にしたが、電子部品Ｄが前記反射体４４と受光ユニット４６との間に位置したときに前記回転を停止させて検出するようにしてもよい。
【００１８】
　そして、吸着ノズル１５が電子部品Ｄを吸着していない場合には、発光素子４２からの光のうち遮光されるべき光（吸着されている電子部品により）が受光ユニット４６に受光されることとなるので電子部品Ｄの「無し」を検出し、各ノズル軸６４の側方に設けられた後述する真空バルブ入切用作動体であるソレノイドバルブ８２の動作により吸着ノズル１５に真空源４７に連通する流路を遮断し、真空源４７からの真空通路を断って真空吸着動作を停止してリークを防止し、また吸着すべきでない面が吸着され所謂立ち状態となっているとか斜めに吸着されていると検出した場合には、装着ヘッド１６及び吸着ノズル１５を回収箱７９上方に移動させて電子部品Ｄを落下させる。」
　カ　「【００１９】
　５０は装着ヘッド１６に設けられたノズル昇降装置であり、以下、このノズル昇降装置について説明する。５１はヘッド側ベース２２に取り付けられたノズル昇降用のノズル昇降モータ、５２はノズル昇降モータ５１の回転軸５１１が連結部材５９により連結されノズル昇降モータ５１により回転駆動されるボールネジ、５３はこのボールネジ５２に螺合してボールネジ５２の回転により昇降する昇降体、５５はヘッド側ベース２２に取り付けられ昇降体５３の昇降を案内するガイド、５６は昇降体５３の下端に回転自在に取り付けられたローラである。
【００２０】
　更に５７は装着ヘッド１６の中心軸６０が中心を貫通した第１筒体であり、この第１筒体５７に形成された環状の鍔部５８はローラ５６の上に位置し、第１筒体５７はローラ５６に支持されている。ここで、第１筒体５７は例えばボールスプラインから構成され、鍔部５８の上面にその下端が当接したバネ６１により下方に付勢される共に、後述するプーリのθ回転と共にθ回転し、且つ昇降体５３の昇降に伴うローラ５６の昇降に伴い昇降する。６２は第１筒体５７の下部に固定され第１筒体５７と共にθ回転するノズル支持部材であり、このノズル支持部材６２の下端には、円周方向に水平に伸びた昇降支持片６３が形成されている。そして、この昇降支持片６３は第１筒体５７の昇降に伴い昇降し、昇降支持片６３の下降により複数の吸着ノズルのうち所定の吸着ノズル１５が下降する。
【００２１】
　即ち、それぞれの吸着ノズル１５から上方に延びた各ノズル軸６４の上端にはローラ６５が回転自在に取り付けられ、後述するノズル選択装置により選択された１本の吸着ノズル１５のノズル軸６４上端のローラ６５が昇降支持片６３の上面に乗っている状態で、第１筒体５７の下降に伴うノズル支持部材６２及び昇降支持片６３の下降により昇降する。即ち、昇降支持片６３及びローラ６５が例えば昇降支持片６３Ａ及びローラ６５Ａにて示した位置まで下降した場合には、この下降に伴い、所定のノズル１５が下降する。更に、ノズル昇降モータ５１の回転量を制御して、昇降体５３下降時の停止高さを調整することにより、前記吸着ノズル１５を所定ストローク降下させることとなる。」
　キ　「【００２６】
　８０はエアー切替バルブで、各ノズル１５より周方向外側の位置に各ノズル１５に対応して等角度間隔に設けられ、個別にエアーの吸引と吹き出しとの切替が可能である。このエアー切替バルブ８０は上部に設けられたケース８１と、このケース８１内に上部が位置し、通電がＣＰＵ９０からの信号により制御されるソレノイドバルブ８２とから構成されている。ソレノイドバルブ８２はケース８１の内面に設けられた環状の電磁石８３と、この電磁石８３への通電、非通電によりケース８１内を昇降し、上部には電磁石８３に対応して円柱状の永久磁石８４が設けられた通路切替体８５などから構成されている。この通路切替体８５とケース８１下部の筒部８１Ａとの間には、上から下に順番にエアーブロー用通路８６、ノズル連通通路８７、真空引き用通路８８とが形成されている。また、ノズル軸６４にはノズル１５の内部通路及びノズル連通通路８７と連通するノズル軸通路１００が形成され、通路切替体８５の昇降により、ノズル連通通路８７を介してノズル通路１００と真空引き用通路８８或いはエアーブロー用通路８６との間の連通が切り替る。
【００２７】
　即ち、ソレノイドバルブ８２の電磁石８３への通電により通路切替体８５が上昇しているときには、真空引き用通路８８とノズル連通通路８７とが連通し、ノズル連通通路８７とエアーブロー用通路８６とが遮断され、吸着ノズル１５の内部通路はノズル軸通路１００、ノズル連通通路８７及び真空引き用通路８８を介して真空源４７と連通し、吸着ノズル１５は電子部品の真空吸着を維持する。また、電磁石８３が非通電になり、通路切替体８５が下降しているときには、真空源４７に連通した真空引き用通路８８とノズル連通通路８７とが遮断され、ノズル連通通路８７とエアーブロー用通路８６とが連通し、吸着ノズル１５による電子部品Ｄの真空吸着を止めると共に吸着ノズル１５の内部通路にエアー供給源４８からの空気がエアーブロー用通路８６、ノズル連通通路８７及びノズル軸通路１００を介して吹き込まれる。
【００２８】
　このように、各吸着ノズル１５に対応してそれぞれ設けられたエアー切替バルブ８０（ソレノイドバルブ８２の電磁石８３）への通電、非通電により、吸着ノズル１５と真空源４７或いはエアー供給源４８との連通を切り替えることができ、選択された吸着ノズル１５に対応したエアー切替バルブ８０を個別に切り替えることができる。」
　ク　図６には、ノズル軸６４の周囲に巻回するように設けたバネ１２が図示されている。
　
　これら記載事項及び図示内容を総合し、本願補正発明の記載ぶりに倣って整理すると、引用例１には、次の発明（以下、「引用発明」という。）が記載されていると認められる。
「複数の吸着ノズル１５が円周上に配設された装着ヘッド１６を備えて、部品供給ユニット３から前記吸着ノズル１５により取出した電子部品Ｄをプリント基板Ｐ上に装着する電子部品装着装置において、内部に前記電子部品Ｄの吸着用の真空源４７に連通する流路が形成され昇降する各ノズル軸６４の下端部に前記吸着ノズル１５を設け、前記各吸着ノズル１５を下方へ付勢するバネ１２を前記ノズル軸６４の周囲に巻回するように設けた電子部品装着装置」
　
（２）引用例２
　同じく原査定の拒絶の理由に引用された、本願の出願前に頒布された刊行物である国際公開第９８／２３１４１号（以下、「引用例２」という。）には、「電子部品実装装置及び方法」に関して、図面とともに次の事項が記載されている。
　サ　「上記ヘッド部６内のノズル５又は規制部材５４の上端部には、図１０に示すように、コイルバネ２０を装着して、常時はこのコイルバネ２０の付勢力によりノズル５又は規制部材５４をヘッド部６に対して下端位置まで付勢し続けており、真空排気装置２７に接続されているノズル５の吸引通路５ａにより部品８をノズル５の下端に吸着したのち又はチャック３１により部品８を把持したのち、部品８を基板４に押し込むとき、部品８に過負荷が作用すると上記コイルバネ２０が縮むことにより、部品８が破損するのを防止できるようにしている。」（明細書１４頁１２〜１９行）
　シ　図３には、ノズル５を有するヘッド部６を備えて、部品供給カセット３からノズル５により取出した部品８を基板４上に装着する電子部品実装装置が図示されている。
　ス　図１０には、ノズル５を有するヘッド部６が図示されている。図１０から、ノズル５の上部にはノズル軸が設けられ、ノズル軸及びノズル５には真空排気装置２７に連通する吸引通路５ａが形成されており、ノズル軸の周囲にはコイルバネ２０が設けられ、そのコイルバネ２０は、上端がヘッド部６に支持され、下端がノズル軸の下部に支持されるとともに、ヘッド部６に一体に形成された筒状部によって全体的に覆われていることが看取できる。
　
３　対比
　そこで、本願補正発明と引用発明とを対比すると、その意味、機能又は作用などからみて、後者の「吸着ノズル１５」は前者の「吸着ノズル」に相当し、以下同様に、「装着ヘッド１６」は「装着ヘッド」に、「部品供給ユニット３」は「部品供給装置」に、「電子部品Ｄ」は「電子部品」に、「プリント基板Ｐ」は「プリント基板」に、「内部」は「中央部」に、「真空源４７に連通する流路」は「真空通路」に、「バネ１２」は「バネ」に、それぞれ相当する。また、後者の「円周上に配設された装着ヘッド１６」は前者の「並設された装着ヘッド」に相当し、後者の「前記各吸着ノズル１５を下方へ付勢するバネ１２」は前者の「上昇した状態の前記各吸着ノズルを下降するように付勢するバネ」に相当する。
　
　したがって、両者は、本願補正発明の用語を用いて表現すると、
[一致点]
「複数の吸着ノズルが並設された装着ヘッドを備えて、部品供給装置から前記吸着ノズルにより取出した電子部品をプリント基板上に装着する電子部品装着装置において、中央部に前記電子部品の吸着用の真空通路が形成され昇降する各ノズル軸の下端部に前記吸着ノズルを設け、上昇した状態の前記各吸着ノズルを下降するように付勢するバネを前記ノズル軸の周囲に巻回するように設けた電子部品装着装置」の発明である点で一致し、次の点で相違する。
　
[相違点]
　本願補正発明は、「前記各バネをその下端が前記ノズル軸の下部に固定された保護筒体内に収め、且つ、前記各バネの下端を前記ノズル軸の下部に支持し、前記各バネが外部に露出しないように前記各バネを保護した」ものであるのに対して、引用発明は、そのように構成されていない点。
　
４　判断
　上記相違点について検討する。
　引用発明は、複数の吸着ノズル１５が円周上に配設された装着ヘッド１６を備えて、部品供給ユニット３から前記吸着ノズル１５により取出した電子部品Ｄをプリント基板Ｐ上に装着する電子部品装着装置であり、内部に電子部品Ｄの吸着用の真空源４７に連通する流路が形成され昇降する各ノズル軸６４の下端部に前記吸着ノズル１５を設け、前記各吸着ノズル１５を下方へ付勢するバネ１２を前記ノズル軸６４の周囲に巻回するように設けたものであるから、バネ１２は外部に露出している。そして、電子部品装着装置においては、近接配置された部材同士が相互に干渉しないようにすることは、当業者が当然に考慮することであり、複数の吸着ノズル１５及びノズル軸６４が僅かな隙間をもってノズル支持体３１に上下動可能に支持されているような電子部品装着装置においては、ノズル軸６４の周囲に巻回され外部に露出しているバネ１２が伸縮するとき、バネ１２が横に膨らんで座屈し、少なくともノズル支持体３１の壁面に擦れたり接触するなどして干渉を起こす可能性があることは当業者が容易に予測し得ることであり、これに対処すべき動機付けは十分にあるといえる。
　一方、引用例２には、「コイルバネ２０は、上端がヘッド部６に支持され、下端がノズル軸の下部に支持されるとともに、ヘッド部６に一体に形成された筒状部によって全体的に覆われている」点（上記ス参照）が記載されており、この記載事項から、コイルバネ２０はその筒状部によって外部に露出しないように保護されていると当業者は容易に理解することができる。してみると、引用例２には、「ヘッド部６に一体に形成された筒状部にコイルバネ２０を収め、且つ、コイルバネ２０の下端をノズル軸の下部に支持し、コイルバネ２０が外部に露出しないようにコイルバネ２０を保護した構成」が記載されているということができる。そして、引用例２に記載された「コイルバネ２０」はその機能又は作用からみて本願補正発明の「バネ」に相当し、同様に、「ヘッド部６」は「装着ヘッド」に、「筒状部」は「保護筒体」にそれぞれ相当し、さらに、引用例２に記載された「ヘッド部６に一体に形成された筒状部」は、「上端がヘッド部６に固定された筒状部」ということができるから、引用例２には、本願補正発明の用語を用いて表現すると、「バネをその上端が装着ヘッドに固定された保護筒体内に収め、且つ、バネの下端をノズル軸の下部に支持し、バネが外部に露出しないようにバネを保護した構成」が記載されているものと認められる。ここで、引用例２に記載された発明と本願補正発明との差異は、要するに保護筒体の上端をヘッドに固定したか、保護筒体の下端をノズル軸の下部に固定したかの違いに過ぎない。
　そして、引用発明と引用例２に記載された発明とは、どちらも部品供給装置から吸着ノズルにより取り出した電子部品をプリント基板上に装着する電子部品装着装置である点で共通の技術分野に属するものである。
　そうすると、引用例１及び２に接した当業者であれば、引用発明において、バネ１２と近接配置された部材との干渉を避けるために、引用例２に記載された発明を適用し、バネ１２を保護筒体内に収めるようにすることは、格別創意を要することなく容易になし得ることであり、その際に、保護筒体の上端をヘッドに固定するか、保護筒体の下端をノズル軸の下部に固定するかは二者択一であり、当業者が適宜選択し得る設計的事項というべきである。
　したがって、引用発明において、保護筒体の下端をノズル軸の下部に固定し、相違点に係る本願補正発明のように構成することは、当業者が容易に想到できたことである。
　
　そして、本願補正発明が奏する効果は、引用例１及び２に記載された発明から当業者が予測し得る範囲内のものであって格別なものとはいえない。
　
　したがって、本願補正発明は、引用例１及び２に記載された発明に基づいて、当業者が容易に発明をすることができたものであるから、特許法第２９条第２項の規定により、特許出願の際独立して特許を受けることができない。
　
　なお、審判請求人は、審尋に対する平成２４年１０月２２日付け回答書において、「引用文献２（審決注：本審決の「引用例２」を指す。以下同様）には、『各バネをその下端が前記ノズル軸の下部に固定された保護筒体内に収める点』が記載されていなく、本願発明１（審決注：本審決の「本願補正発明」を指す。以下同様）の特徴が記載も示唆もされておりません。
　従いまして、引用文献２は引用文献１（審決注：本審決の「引用例１」を指す。以下同様）に組み合わせられなく、引用文献１及び２に記載されました装置から本願発明１が奏します上記ａ）に記載の『バネを保護する保護筒体の下端が固定され、保護筒体を支持するノズル軸の下部によりバネの下端は支持され、吸着ノズルがその下端部に設けられたノズル軸の下部を保護筒体の支持とバネの支持とに兼用することができ、装着ヘッドの機構の簡素化を図ることができます。』という作用効果を到底期待することはできません。
　更に、引用文献２においては、バネが外部に露出しないように保護する保護筒体はヘッド部に設けられているので、ノズル軸の周囲に巻回するように設けられたバネは、バネが設けられたノズル軸がヘッド部に取り付けられるまで、バネのほぼ全体が露出しており、バネが傷む或いはバネに埃等が付き易いという問題が発生しますが、本願発明１では、ノズル軸に設けられたバネはその下端がノズル軸の下部に固定された保護筒体内に収められているため、バネが傷む或いはバネに埃等が付き易いという問題を回避することもできます。」（「ハ）」の項参照）と主張する。
　しかしながら、審判請求人が主張する上記作用効果はいずれも、その構成から当業者であれば予測し得る程度のものであって格別なものとはいえない。保護筒体の上端を装着ヘッドに固定するか、あるいは保護筒体の下端をノズル軸の下部に固定するか、どちらを選択するかは、その構成のもつメリットとデメリットを勘案して当業者が適宜決定するのが普通であり、設計的事項にすぎない。
　よって、審判請求人の主張は採用できない。
　
５　むすび
　以上のとおり、本件補正は、平成２３年法律第６３号改正附則第２条第１８項によりなお従前の例によるとされる同法による改正前の特許法第１７条の２第６項において準用する同法第１２６条第５項の規定に違反するので、同法第１５９条第１項の規定において読み替えて準用する同法第５３条第１項の規定により却下すべきものである。
　
第３　本願発明について
１　本願発明
　本件補正は、上記のとおり却下されたので、本願の請求項１及び２に係る発明は、平成２３年１０月２１日付けの手続補正により補正された特許請求の範囲の請求項１及び２に記載された事項により特定されるとおりのものであると認められるところ、その請求項２に係る発明（以下、「本願発明」という。）は、次のとおりである。
「複数の吸着ノズルが並設された装着ヘッドを備えて、部品供給装置から前記吸着ノズルにより取出した電子部品をプリント基板上に装着する電子部品装着装置において、中央部に前記電子部品の吸着用の真空通路が形成された各ノズル軸の下端部に前記吸着ノズルを設け、上昇した状態の前記各吸着ノズルを下降するように付勢するバネを前記ノズル軸の周囲に巻回するように設け、前記各バネをその下端が前記ノズル軸の下部に固定された保護筒体内に収め、前記各バネが外部に露出しないように前記各バネを保護したことを特徴する電子部品装着装置」
　
２　引用例
　引用例１及び２の記載事項並びに引用発明は、前記「第２」の「２」に記載したとおりである。
　
３　対比・判断
　本願発明は、前記「第２」の「１」の本願補正発明から、「ノズル軸」についての限定事項である、「昇降する」との事項を省くとともに、同じく「バネ」についての限定事項である、「前記各バネの下端を前記ノズル軸の下部に支持し」との事項を省いたものである。
　そうすると、本願発明の発明特定事項をすべて含み、さらに、発明特定事項を限定したものに相当する本願補正発明が、前記「第２」の「３」及び「４」に記載したとおり、引用例１及び２に記載された発明に基づいて、当業者が容易に発明をすることができたものであるから、本願発明も、実質的に同様の理由により、引用例１及び２に記載された発明に基づいて、当業者が容易に発明をすることができたものである。
　
４　むすび
　以上のとおり、本願発明（請求項２に係る発明）は、引用例１及び２に記載された発明に基づいて当業者が容易に発明をすることができたものであるから、特許法第２９条第２項の規定により、特許を受けることができない。
　そうすると、本願発明が特許を受けることができないものである以上、請求項１に係る発明について検討するまでもなく、本願は拒絶すべきものである。
　よって、結論のとおり審決する。